(57)【要約】【課題】介護作業の中で頻繁に行われる被介護者のベッドと車椅子間の移動の介護作業において小型で安価であり、また人力で容易に被介護者を移乗出来る簡易移乗リフトを提供する。【解決手段】左右同形の支持体１１，１２で支軸４を水平に固定し、この支軸４にコの字状のリフト部２を軸支し、このリフト部は軸支点より先端に２本の短く平行なリフト棒２２，２３、後方にはコの字状のハンドル２１から構成される一体のもので、上記両リフト棒間には四隅にフックを設けたシート６を掛け渡し、更にＵ字状のガイド３を両端で支軸４に軸支し、支持体１１，１２間を下部で補強した補強材１３にハンドルを固定する固定具を設けた。【選択図】    図１
2004313450.tif 000002
【特許請求の範囲】
【請求項１】
左右同形の支持体（１１，１２）の上部が水平な支軸（４）で、下部が補強材（１３）で連結されており、上記支軸（４）によりリフト部（２）が軸支されており、このリフト部（２）は２本の同じ寸法の直線状のリフト棒（２２，２３）がそれぞれ軸受け（２４，２５）を介してＵ字状又はコの字状のハンドル（２１）と結合されており、この軸受け（２４，２５）は上記支軸（４）に回転自在に軸支されており、支軸（４）に対してリフト棒（２２，２３）の寸法がＵ字状又はコの字状のハンドル（２１）の寸法よりも短くなされており、上記リフト棒（２２，２３）の間には四隅にフック（６１，６２，６３，６４）を備えたシート（６）が架け渡されており、さらに支軸（４）にはＵ字状のガイド（３）がその両端で回転可能に軸支されており、このガイド（３）の湾曲部にはベルト（５１）の先端が結ばれ、ベルト（５１）の他端を係止する係止具（５２）が設けられており、上記補強材（１３）にはハンドルを固定する固定具（７）が設けられている事を特徴とする簡易移乗リフト。
【発明の詳細な説明】
【０００１】
【発明の属する技術分野】
本発明はベッドの端に座る事が出来る被介護者をベッドから車椅子に、または逆に車椅子からベッドに移動させる介護作業における介護作業者の作業負担を軽減する為の簡易移乗リフトに関する。
【０００２】
【従来の技術】
介護作業において日常的に行われるベッドから車椅子へ、または車椅子からベッドへ被介護者を移動させる介護作業は介護者が抱き起こし運ぶ過程で介護者の腰に大きな負担が掛かり、介護者の腰を痛める原因にもなっている。またこの作業を軽減する福祉用具としては主に電動の吊り上げ式リフトが主流になっているがこれは大掛かりで高価であったり、改築を必要とする場合がある。また実用登録３０２１５７９  移乗用リフト装置は被介護者を引き上げる昇降機構にネジ軸を利用した回転ハンドルを使用しているが小さな力で上げるために何度も回転させる必要があり、時間と労力を要する事となり、使い勝手は良くないものと思われる。
【０００３】
【発明が解決しようとする課題】
本発明は家庭の改造や高価な電動リフトの導入をする事なく、日常的に行われる車椅子とベッドとの間の被介護者を移動させる介護作業において、てこの原理を応用し、介護作業者の体重で簡単に被介護者の身体を引き上げ、維持し、移動することが出来るようにする事を目的とする。
【０００４】
【課題を解決するための手段】
本発明はこれら課題を解決し、所期の目的を好適に達成するためになされたものである。本発明の簡易移乗リフトは左右同形の支持体（１１，１２）の上部が水平な支軸（４）で、下部が補強材（１３）で連結されており、上記支軸（４）によりリフト部（２）が軸支されており、このリフト部（２）は２本の同じ寸法の直線状のリフト棒（２２，２３）がそれぞれ軸受け（２４，２５）を介してＵ字状又はコの字状のハンドル（２１）と結合されており、この軸受け（２４，２５）は上記支軸（４）に回転自在に軸支されており、支軸（４）に対してリフト棒（２２，２３）の寸法がＵ字状又はコの字状のハンドル（２１）の寸法よりも短くなされており、上記リフト棒（２２，２３）の間には四隅にフック（６１，６２，６３，６４）を備えたシート（６）が架け渡されており、さらに支軸（４）にはＵ字状のガイド（３）がその両端で支軸（４）に回転可能に軸支されており、このガイド（３）の湾曲部にはベルト（５１）の先端が結ばれ、ベルト（５１）の他端を係止する係止具（５２）が設けられており、上記補強材（１３）にはハンドルを固定する固定具（７）が設けられている事を特徴とする。
【０００５】
本発明は軽い負荷で被介護者の身体を上方へ上げられるようにリフト棒２２，２３の寸法を被介護者が乗ることが出来る範囲でなるべく短くし、一方のハンドル２１の寸法はリフト棒２２，２３の倍程度まで長くするのが好ましい。そうすればハンドル２１に体重を掛けると容易に被介護者の身体が持ち上がるようになる。
【０００６】
本発明は自力で上半身を支える事が出来ない被介護者を上方に持ち上げた際に上半身を支える為にガイド３を設け、これを被介護者の頭をくぐらせて背中に回し、身体の前側にベルト５１を掛けて被介護者の上半身をガイド３に固定する。
【０００７】
本発明では安全対策として何らかの事故でハンドル２１の負荷がなくなっても被介護者が必要以上に下に下がらないように支持体１１，１２間にストッパー９を設け、リフト棒２２，２３が下がってもこのストッパーに当たって止まるようになされている。
【０００８】
【発明の実施の形態】
以下本発明の実施の形態の一例を図面を用いて説明する。図１に示すように本簡易移乗リフトは左右同形の支持体１１，１２の上部を水平な支軸４で、下部を補強材１３で連結し、上記支軸４によりリフト部２を軸支し、このリフト部２は２本の同じ寸法の直線状のリフト棒２２，２３をそれぞれ上記支軸４に回転自在に軸支された軸受け２４，２５に平行になるように結合し、一方コの字状のハンドル２１の両端をリフト棒２２，２３の反対方向になるように上記軸受け２４，２５と結合し、また支軸４に対してリフト棒２２，２３の寸法がＵ字状又はコの字状のハンドル２１の寸法よりも短くなるようにし、上記リフト棒２２，２３の間には四隅にフック６１，６２，６３，６４を備えたシート６を架け渡し、さらに支軸４にＵ字状のガイド３をその両端で支軸４に回転可能に軸支し、このガイド３の湾曲部にはベルト５の先端を結び、ベルト５の他端を係止する係止具を設け、上記補強材１３にはハンドルを固定する固定具７が設けた。
【０００９】
本実施例においては支持体１１、１２、補強材１３、リフト部２そしてガイド３には５０ｍｍ径のスチールパイプを使用し、支軸４には４０ｍｍ径のスチール鋼を使用し、軸受け２４，２５は市販のベアリングを使用した。またシート６には帆布材を使用し、寸法は７５０ｍｍ×２５０ｍｍとし、四角のフック６１，６２，６３，６４には市販の金属製フックを縫いつけた。また支持体１１，１２の間隔は車椅子が入れるように７５０ｍｍとし、更にリフト棒２２と２３の間隔は４５０ｍｍとし、軸受け２４，２５からリフト棒２２，２３の先端までの寸法は６００ｍｍとした。また軸受け２４，２５からハンドル２１の端までの寸法は１２００ｍｍとした。また介護作業者が安全にハンドル２１に体重を掛けられるように支持体１１，１２の上部のハンドル２１側にそれぞれ取っ手８１，８２を設置した。また固定具７として市販のスチール製フックを補強材１３に取り付けた。そしてガイド３は被介護者の上半身がくぐれるように幅を７００ｍｍとし、支軸４からガイド３の湾曲部頂点までを６００ｍｍとした。また支持体１１，１２の下部にキャスターを取り付け、移動出来るようにした。そしてベルト５１にはナイロンベルトを使用し、係止具５２にはナイロンベルト用の留め具を使用した。更に標準的なベッドの高さ、車椅子の寸法から判断し支軸４の床からの高さを８００ｍｍとした。以上によりハンドルに体重を掛けることで被介護者を上方に持ち上げ、固定具７のスチール製フックをハンドル２１に引っ掛ける事により維持する事が出来たし、その状態で取っ手８１，８２を持ち、被介護者を移動させることが出来た。更に被介護者を車椅子に下ろす際もリフト棒２２，２３が車椅子の肘掛け部分に当たる前に被介護者の臀部を車椅子のシートに乗せる事が出来た。
【００１０】
次に本発明を使用して被介護者をベッドから車椅子に移動させる状況を図３を用いて説明する。まず本発明から外したシート６をベッドの端の被介護者を座らせる位置に広げて置く。次に被介護者の上体を起こし足をベッドから下ろしベッドの端に広げたシート６の中心に腰掛けるようにする。次に本発明の簡易移乗リフトを適当な位置まで近づけシート６の両端のフック６１，６２，６３，６４を本発明のリフト棒２２，２３にぞれぞれ掛ける。更に跳ね上げておいたガイド３を下ろして被介護者の頭をくぐらせ背中に回し、そしてベルト５１を被介護者の前側を通して係止具５２で留め被介護者の上半身を固定する（図３の状態）。次に介護者はハンドル２１側に回り、ハンドル２１に足を掛けて体重を徐々に掛けていき、被介護者を上方に持ち上げる。そしてハンドル２１に固定具７を掛けてハンドル２１を固定する。そして被介護者を下ろす場所まで本発明の簡易移乗リフトを移動したらハンドル２１に体重を掛けて固定具７を外し、徐々にハンドル２１を上げて被介護者をゆっくりと下ろす。最後にベルト５１を係止具５２から外し、ガイド３を跳ね上げて被介護者の上体を開放し、シート６のフック６１，６２，６３，６４を外す。その結果シート６は被介護者がベッドに戻るまで被介護者の臀部の下に敷かれたままとなる。
【００１１】
【発明の効果】
以上に説明したようになされているので、本発明は家を改築したり、高額な電動リフトを購入する必要もなく、安価でコンパクトな形状で扱いやすく、介護作業において頻繁に行われる被介護者をベッドと車椅子の間で移動させる作業において、体力のない老人や女性が腰を痛めたりすることなくか係る介護作業を行うことを可能にする。
【図面の簡単な説明】
【図１】本発明の実施形態の一例を示す斜視図である。
【図２】リフト部とシートの部分拡大説明図である。
【図３】本発明の実施例において被介護者をリフト部に固定した状態を表す説明図である。
【符号の説明】
１１、１２  支持体
１３      補強材
２      リフト部
２１      ハンドル
２２、２３  リフト棒
２４、２５    軸受け
３      ガイド
４      支軸
５１  ベルト
５２  係止具
６      シート
６１、６２、６３、６４    フック
７      固定具
８１、８２  取っ手
９      ストッパー
【図１】
2004313450.tif 000003
【図２】
2004313450.tif 000004
【図３】
2004313450.tif 000005